(57)【特許請求の範囲】
【請求項１】
基台に横断面形状がだ円状で、だ円の長軸（ａ）と短軸（ｂ）の比がａ：ｂ＝１６：３〜１０：５であり、根元での長軸の長さが１〜４０ｍｍでかつ高さが１〜２５ｍｍであり、根元部から先端部にかけての外周の形状が凸曲線状の弾性材料により構成された太径ブリッスルを、太径ブリッスルの長軸が一定方向となるように１列が１〜２０個の太径ブリッスルにより構成された複数のブリッスルの列を平行に配設した頭皮及び毛穴マッサージ用ブラシ。
【請求項２】
基台のブリッスル配設面の裏側の偏心位置に把持部を設けた請求項１に記載の頭皮及び毛穴マッサージ用ブラシ。
【発明の詳細な説明】
【０００１】
【発明の属する技術分野】
本発明は、頭皮及び毛穴の洗浄及びマッサージ用ブラシ、ならびに該ブラシを使用した頭皮及び毛穴のマッサージ方法に関する。
【０００２】
【従来の技術】
洗髪時に使用するヘアブラシとしては種々のものが知られており、例えばブリッスル先端に球状体を有するものや（実開昭５４−８７２７２号公報）、球状体を有するブリッスルと球状体を有しないブリッスルを組み合わせたもの（実開昭５４−１６６７３号公報）、或いは長さ方向の外周面が凹曲面である略円錐形のブリッスルを有するもの（実開平３−１０２９２８号公報）、更には少なくとも３種類の異なる太さと長さを有するブリッスルを組み合わせたもの（実開平３−１０７１２号公報）等がある。
【０００３】
これら従来のヘアブラシは、洗髪時にブリッスル先端が頭皮をかく機能や、ブリッスル側面が毛髪をかく機能、或いは絡みついた毛髪を解く機能を有するが、頭皮に対するマッサージ効果は著しく劣り、特に頭皮上で汚れや臭いの原因となる皮脂を除去し毛穴の洗浄やマッサージができないものであり、また、毛髪の絡みを十分に解くことはできず、くし通りが悪かった。
【０００４】
【発明が解決しようとする課題】
本発明は、毛髪の絡みを容易に解いて、すぐれたくし通りを有し、特にシャンプー、リンス、ローション、ジェル、育毛剤等と併用することにより、毛髪、頭皮だけではなく毛穴の洗浄を可能にするとともに、頭皮及び毛穴に対する優れたマッサージ効果を有するマッサージ用ブラシ、ならびに該ブラシを使用した頭皮及び毛穴のマッサージ方法を提供することを目的とするものである。
【０００５】
【課題を解決するための手段】
本発明では、基台に横断面形状が非真円状の太径ブリッスルを配設して頭皮及び毛穴マッサージ用ブラシを構成することによって、上記目的を達成したものである。
【０００６】
【発明の実施の形態】
本発明の頭皮及び毛穴マッサージ用ブラシの太径ブリッスルを構成する材料としては、アスカーゴム硬度計（型式Ａ）によりＡＳＴＭ  Ｄ２２４０−６８（ショアーＡ硬度）に準拠して測定された数値が９５未満、特に２０〜９０の材料を用いることができ、好ましい材料の例としては、ポリエチレン、ポリプロビレン等のポリオレフィン、ナイロン、ポリアセタール等の合成樹脂や、ウレタンゴム、シリコーン、ポリエチレン・ポリプロピレン・エラストマー等の弾性材料が挙げられる。
太径ブリッスルを構成する材料は、ブラシ本体（基台）を構成する材料と同一又は異なる材料のいずれを使用してもよい。
【０００７】
本発明では太径ブリッスルの横断面形状が非真円状になるように調製する。ここで非真円状とは、だ円、だ円の一部及び２以上のだ円の一部を組み合わせたものや一般に流線形と呼ばれる形状等の真円以外の形状をいう。横断面形状がだ円の太径ブリッスルを使用する場合には、だ円の長軸（ａ）と短軸（ｂ）の比がａ：ｂ＝１６：１〜１６：１５、好ましくはａ：ｂ＝１６：３〜１６：１３であり、太径ブリッスルの根元での長軸の長さが１〜４０ｍｍ、好ましくは１〜３０ｍｍであり、また太径ブリッスルの根元での短軸の長さが１〜３８ｍｍ、好ましくは１〜３０ｍｍであるものを使用する。このような太径ブリッスルの場合には、絡んだ髪がよりなめらかに解かれるためくし通りが優れたものとなる。
また太径ブリッスルの根元から先端までの高さは、通常は１〜３０ｍｍ、好ましくは１〜２５ｍｍに調製する。
太径ブリッスルの根元部から先端部にかけての外周の形状は、連続状のものであれば特に制限はないが、通常は直線又は凸曲線状に構成する。外周の形状を凸曲線状とした場合には、ブリッスルの外周に沿って絡んだ髪が解かれるためにくし通りに優れるとともに、太径ブリッスルを好適な圧力で頭皮に押しつけることができるので、マッサージ効果に優れたものとなる。
【０００８】
ブラシの基台に配設する太径ブリッスルの数や配列状態には特に制限はなく、例えば、図３に見られるように太径ブリッスルの長軸が一定方向となるように１列が１個〜２０個、好ましくは１個〜１０個の太径ブリッスルにより構成された複数のブリッスルの列を平行に配設することができる。また円盤状の基台に太径ブリッスルを同心円状に配設したり、基台の外周部のみに太径ブリッスルを配設するようにしてもよい。
ブリッスルを配設する基台の形状は、円盤状、だ円状、長方形状等種々の形状とすることができるが、図３に矢印で示したようにブラシの移動方向と太径ブリッスルの長軸が一致するように構成することが、ブラシのくし通りやマッサージ効果の点で好ましい。
【０００９】
本発明の頭皮及び毛穴マッサージ用ブラシには、所望によりさらに細径ブリッスルを配設することができる。２種類のブリッスルを組み合わせて使用する場合には、太径ブリッスルによる頭皮及び毛穴のマッサージ効果と細径ブリッスルによる毛髪、頭皮及び毛穴の洗浄効果が相乗的に作用するので好ましい。
細径ブリッスルを構成する材料には特に制限はなく、通常毛髪洗浄用ブラシに用いられる材料はいずれも使用することができる。好ましい材料の例としては、例えばポリエチレン、ポリプロピレン等のポリオレフィン、ナイロン、ポリアセタール等のプラスチック、豚毛等の獣毛等が挙げられ、特にナイロンを使用することが好ましい。また、個々の細径ブリッスルの硬さは、ＪＩＳ  Ｓ  ３０１６−１９９５に従って測定した際に４０Ｎ／ｃｍ２以上、特に５０〜１６０Ｎ／ｃｍ２の細径ブリッスルを用いることが好ましい。
【００１０】
細径ブリッスルの先端直径は、１〜２００μｍ、好ましくは２０〜８０μｍに調製し、その植毛後の高さは通常１０〜３５ｍｍ、好ましくは１２〜２５ｍｍに調製する。細径ブリッスルの束の高さを太径ブリッスルの高さと同じまたはやや大きくした場合には、太径ブリッスルを頭皮に当接させることにより、細径ブリッスルの束を好適な圧力で頭皮及び毛穴に押しつけることができるので、頭皮及び毛穴に付着した皮脂を効率よく除去することができるとともに、マッサージ効果もすぐれたものとなる。
細径ブリッスル先端の形状には特に制限はなく、球状、先尖状等とすることができる。また、細径ブリッスル全体の形状も直毛状やテーパー状等任意のものとすることができる。
【００１１】
細径ブリッスルは、通常５〜５０本を束状にして基台に植毛することが好ましい。細径ブリッスルの面密度としては、基台の植毛部において５〜２５０本／ｃｍ２、好ましくは２０〜１６０本／ｃｍ２とする。
細径ブリッスルの束の数や配列には特に制限はないが、例えば、図３にみられるように細径ブリッスルの束を太径ブリッスルの列と略同一線上で太径ブリッスルの間に配設する等、ブラシを移動する際に細径ブリッスルの束が太径ブリッスルの後部に位置するように配設した場合には、はじめに絡んだ毛髪が太径ブリッスルによって解かれくし通りがよくなるので好ましい。また細径ブリッスルの束は円盤状の基台に同心円状に配設してもよく、さらには碁盤目の交点に配設するようにしてもよい。細径ブリッスルの束を基台の外周部に配設した太径ブリッスルの内側に配設し、基台の外周部に配設した太径ブリッスルの外側には細径ブリッスルを配置しない構成とした場合には、太径ブリッスルで絡んだ毛髪を効果的にかき分けることができるので、くし通りにすぐれ、またマッサージ効果も向上するので好ましい。
【００１２】
本発明の頭皮及び毛穴マッサージ用ブラシの基台を構成する材料は、例えばポリエチレン、ポリプロピレン等のポリオレフィン、ナイロン、ポリアセタール等の通常洗髪用ブラシに用いられるプラスチック類が使用される。また、基台と太径ブリッスルはそれぞれ別個に調製し、太径ブリッスルを基台に配設する構成とすることができるが、基台と太径ブリッスルを同じ材料により一体に構成してもよい。
さらに、基台とは別体の太径ブリッスル挿通用の貫通孔を有する基板に細径ブリッスルの束を配設し、基台に配設した太径ブリッスルを基板の貫通孔に挿通して、基板と基台を組み合わせて頭皮及び毛穴マッサージ用ブラシを構成するようにしてもよい。このような構成とした場合には、ブラシ使用後に基台から基板を取り外すことによりブリッスルに絡んだ毛髪を容易に除去することができ、常にブラシを衛生的に使用することができるので好ましい。
【００１３】
本発明の頭皮及び毛穴マッサージ用ブラシのブリッスル配設面の裏側には、所望によりブラシの把持部を基台の偏心位置に設けることができる。
把持部を構成する材料は、通常はポリエチレン、ポリプロピレン等のポリオレフィン、ナイロン、ポリアセタール等のプラスチックが使用される。基台と把持部はそれぞれ別個に調製し、把持部を基台に配設する構成とすることができ、また基台の一部を突出させたり基台の外縁部を延在させることによって、把持部を基台と同じ材料により一体に構成することもできる。
【００１４】
把持部の形状は、例えば、図２にみられるように基台の外縁部から波形の把持部を基台上方に延在させる構成とすることができ、また図１４にみられるように基台外縁部の一部を基台側方に突出させることにより把持部を構成することもできる。
本発明ではブラシの把持部を基台の中心からずらした偏心位置に設けることによって、ブラシ使用者のブラシの握り方が一定し、効果的なブラッシングが可能となる。例えば図２のように太径ブリッスルをその長軸が一定方向となるように基台に配設したブラシの基台裏側の一端部に波形の把持部を設けた場合には、ブラシ使用者は右側から、人差し指と中指（親指と人差し指又は中指と薬指でもよい）の間に把持部を挟みながら基台を握り、ブラシを図面の手前から奥又は奥から手前に動かして（図３の矢印方向）ブラッシングを行う。このようなブラッシングにより、太径ブリッスルを適当な圧力で頭皮に押し付けることができるため、頭皮及び毛穴を効果的にマッサージすることができる。
また、把持部の一部又は全部が基台の外縁部より側方に突出する構成とした場合には、ブラシの握り方が一層安定するものとなる。
【００１５】
本発明の頭皮及び毛穴マッサージ用ブラシを構成する太径ブリッスル、細径ブリッスル、基台及び把持部を構成する材料には、抗菌剤の練り混みや含浸、塗布等の処理により抗菌性を付与することもできる。
【００１６】
【実施例】
（実施例１）
図１〜図５は本発明の頭皮及び毛穴マッサージ用ブラシの１例を示す図であり、図１は正面図、図２は右側面図、図３は底面図、そして図４は平面図である。また、図５はブリッスルの部分拡大図で、（Ａ）はブリッスルの列を正面から見た図、（Ｂ）は（Ａ）を上から見た図であり、（Ｃ）はブリッスルの列を側面から見た図、そして（Ｄ）は（Ｃ）を上から見た図である。これらの図において、符号１は頭皮及び毛穴マッサージ用ブラシ、符号２は太径ブリッスル、符号３は細径ブリッスルの束、符号４は基台、そして符号５は把持部を表す。
この例では、厚さ４ｍｍ、直径８０ｍｍの略円盤状のポリプロピレン製の基台４に、根元から先端までの高さが１２ｍｍであり、根元での長軸の長さが１０ｍｍ、短軸の長さが５ｍｍである横断面形状がだ円形であって、根元部から先端部にかけて凸曲線状の外形を有する太径ブリッスル２を、長軸が一定方向となるようにして８列配設した。各列の太径ブリッスル２の数は、図３において右から順に２、３、４、４、４、４、３、２個とした。また各列の太径ブリッスル２の間には、先端直径が２０〜８０μｍ、植毛後の長さが１３ｍｍとなるナイロン製の細径ブリッスル３４本を１束として、２束ずつ略同一線上に配設した。さらに基台４の裏側には、図２に見られるように外縁部から基台上方に向けて基台４の一部を波形に延在させることにより把持部５を設けた。このマッサージ用ブラシ１を使用する場合には、人差し指と中指（親指と人差し指または中指と薬指でもよい）の間に把持部５を挟みながら基台４を握り、ブラシ１を図３の矢印方向に動かすことによりブラッシングを行う。
【００１７】
太径ブリッスル２の形状は、図６又は図７にみられるようなものとすることもできる。
図６及び図７は太径ブリッスル２の部分拡大図であり、これらの図において（Ａ）はブリッスルの正面図、（Ｂ）はブリッスルの側面図、そして（Ｃ）はブリッスルを上から見た図を示す。
【００１８】
また、太径ブリッスル２及び細径ブリッスルの配列は、図３のほか、図８〜図１０にみられるような配列とすることもできる。これらの例では、細径ブリッスルの束３をブラシの中心部で密に、そして周辺部では疎に配設することによって、ブラシ使用時に細径ブリッスルが頭皮に均一に当たり、太径ブリッスルのくし通りをよくする等、使用時の感触を改善することができる。
【００１９】
（実施例２）
図１１〜図１３は本発明の頭皮及び毛穴マッサージ用ブラシの他の例を示す図であり、図１１は正面図、図１２は右側面図、そして図１３は底面図である。
この例では、基台４に太径ブリッスル２を長軸が一定方向となるように７列配設した。各列の太径ブリッスル２の数は、図１３において上から順に２、３、４、４、４、３、２個とした。また、図１１に見られるように基台４の裏側の外縁部から側方に延在させた波形の把持部５の先端を、基台４に当接させることにより把持部５を形成した。この頭皮及び毛穴マッサージ用ブラシ１の他の構成は実施例１の頭皮及び毛穴マッサージ用ブラシ１と同様である。このマッサージ用ブラシ１を使用する場合には、把持部５と基台４によりできた孔６に親指を挿通し、親指と人差し指の間で把持部５の先端付近を挟みながら基台４を握り、ブラシ１を図１３の矢印方向に動かすことによりブラッシングを行う。
【００２０】
（実施例３）
図１４及び図１５は本発明の頭皮及び毛穴マッサージ用ブラシの他の例を示す図であり、図１４は正面図、そして図１５は底面図である。
この例では、厚さ４ｍｍ、直径７６ｍｍの略円盤状のポリプロピレン製の基台４に、横断面形状がだ円の一部を切除した略砲弾形状の太径ブリッスル２を、長軸が一定方向となるようにして７列配設した。各列の太径ブリッスル２の数は図１５の上から順に２、３、４、４、４、３、２個とした。また、各列には、先端直径が２０〜８０μｍ、植毛後の長さが１３ｍｍとなるナイロン製の細径ブリッスル３４本を１束として、２束ずつ太径ブリッスル２の砲弾形状の後部に略同一直線上に配設した。さらに基台４のブリッスル配設面の裏側には、図１４に見られるように基台の外縁部の一部を側方に突出させることにより把持部５を形成した。このマッサージ用ブラシ１を使用する場合には、親指と人差し指の間に把持部５を挟みながら基台４を握り、ブラシ１を図１５の矢印方向に動かすことによりブラッシングを行う。
【００２１】
（実施例４）
図１６は本発明の頭皮及び毛穴マッサージ用ブラシの他の例を示す正面図である。
この例では、図１６に見られるように基台４のブリッスル配設面の裏側の外縁部から基台４の上方に向けて波形の把持部５を延在させることにより把持部５を設けたほかは、実施例３と同様にして頭皮及び毛穴マッサージ用ブラシ１を作製した。このマッサージ用ブラシ１を使用する場合には、把持部５と基台４の間に親指以外の４本の指を挿通し、親指と人差し指の間で把持部５の基部を挟みながら基台４を握り、ブラシ１を図１６の矢印方向に動かすことによりブラッシングを行う。
【００２２】
本発明のマッサージ用ブラシを使用して洗髪したときの効果を次のようにして評価した。
（評価方法）
ショートヘア３人、セミロングヘア３人、ロングヘア３人の合計９人のパネラーにより、上記実施例１のマッサージ用ブラシと、比較のために基台に横断面形状が直径１．５〜１．９ｍｍの真円であり、根元から先端までの高さが１６ｍｍである太径ブリッスルのみを配設し、ブリッスル配設面の裏側中心部に把持部を設けた洗髪ブラシを使用して洗髪を行った。シャンプーとしてはＰＯＥ（３）ラウリルエーテル硫酸ナトリウム２重量％水溶液を、ショートヘアは３ｇ、セミロングヘアは４ｇ、ロングヘアは５ｇ使用した。洗髪の手順は、（１）髪を４０℃の湯で３０秒間予洗した後に、（２）秤量したシャンプーで１〜２分間泡立て、（３）ブラシを使用して３分間頭全体を均一にくし通しし、（４）４０℃の湯で１分間濯ぎ、（５）乾燥した。洗髪に使用した湯の量は、６ｌ／分程度とした。
評価は、洗髪時のくし通り及び頭皮のマッサージ感を官能評価により行った。官能評価は、良い、やや良い、普通、やや悪い、悪いの５段階で評価した。また、洗髪時にブラシについた毛髪の本数を数えた。
さらに、乾燥後頭部を２０倍の光源つきカメラを使用し、モニター画面に映し出して観察した。毛穴の洗浄の評価は、次の５段階で評価した。
１：  毛穴がすっきり見える。
２：  毛穴に部分的に汚れが残っている。
３：  毛穴が汚れでつまっている。
４：  毛穴から汚れがはみ出している。
５：  毛穴、髪ともに汚れがこびりついている。
【００２３】
（結果）
評価結果を表１に示す。
【００２４】
【表１】
0004416239.tif 000002
【００２５】
表１において、モニターヘアスタイルの欄のＳはショートヘア、ＳＬはセミロングヘア、Ｌはロングヘアを表す。
【００２６】
本発明のマッサージ用ブラシを使用した場合には、くし通り及びマッサージ感にすぐれるとともに、ブラシについた毛髪が少なく、毛穴の汚れを除去することができた。これに対して、比較のために使用した太径ブリッスルのみを配設した洗髪ブラシでは、くし通り及びマッサージ感がともに悪く、ブラシに絡みついて抜けた毛髪も多くなり、また、毛穴の汚れを全く除去することができなかった。
【００２７】
【発明の効果】
上記の構成をとることによって、本発明の頭皮及び毛穴マッサージ用ブラシは、毛髪の絡みを容易に解くことができ、くし通りにすぐれるという効果を有する。したがって、ブラッシングの回数が少なくてすみ、頭皮及び毛穴を傷つけることがない。また、シャンプー、リンス、ローション、ジェル、育毛剤等と併用することにより、毛髪、頭皮だけではなく毛穴の洗浄を可能にするとともに、頭皮及び毛穴に対する優れたマッサージ効果を有し、更には育毛剤等の毛根への浸透を助ける等顕著な効果を奏するものである。
【図面の簡単な説明】
【図１】本発明の頭皮及び毛穴マッサージ用ブラシの１例を示す正面図である。
【図２】図１の頭皮及び毛穴マッサージ用ブラシの右側面図である。
【図３】図１の頭皮及び毛穴マッサージ用ブラシの底面図である。
【図４】図１の頭皮及び毛穴マッサージ用ブラシの平面図である。
【図５】図１の頭皮及び毛穴マッサージ用ブラシを構成する太径ブリッスル及び細径ブリッスルの束の配設状態を示す図である。
【図６】太径ブリッスルの他の例を示す図である。
【図７】太径ブリッスルの他の例を示す図である。
【図８】太径ブリッスル及び細径ブリッスルの束の配列状態の他の例を示す図である。
【図９】太径ブリッスル及び細径ブリッスルの束の配列状態の他の例を示す図である。
【図１０】太径ブリッスル及び細径ブリッスルの束の配列状態の他の例を示す図である。
【図１１】本発明の頭皮及び毛穴マッサージ用ブラシの他の例を示す正面図である。
【図１２】図１１の頭皮及び毛穴マッサージ用ブラシの右側面図である。
【図１３】図１１の頭皮及び毛穴マッサージ用ブラシの底面図である。
【図１４】本発明の頭皮及び毛穴マッサージ用ブラシの他の例を示す正面図である。
【図１５】図１４の頭皮及び毛穴マッサージ用ブラシの底面図である。
【図１６】本発明の頭皮及び毛穴マッサージ用ブラシの他の例を示す正面図である。
【符号の説明】
１    頭皮及び毛穴マッサージ用ブラシ
２    太径ブリッスル
３    細径ブリッスルの束
４    基台
５    把持部
６    孔
【図１】
0004416239.tif 000003
【図２】
0004416239.tif 000004
【図３】
0004416239.tif 000005
【図４】
0004416239.tif 000006
【図５】
0004416239.tif 000007
【図６】
0004416239.tif 000008
【図７】
0004416239.tif 000009
【図８】
0004416239.tif 000010
【図９】
0004416239.tif 000011
【図１０】
0004416239.tif 000012
【図１１】
0004416239.tif 000013
【図１２】
0004416239.tif 000014
【図１３】
0004416239.tif 000015
【図１４】
0004416239.tif 000016
【図１５】
0004416239.tif 000017
【図１６】
0004416239.tif 000018